(57)【要約】【課題】デジタルカメラで撮影して得られた全ての画像データを１つの記録媒体に記録できるように制御するデジタルカメラ及び記録プログラムの提供。【解決手段】デジタルカメラに、特定のモードで撮影した全ての画像データなどが１つの記録媒体に記録できるように撮影を制限する特定のモードが選択された場合に、記録対象となる記録媒体の容量や記録対象となるデータの種類に基づいて撮影可能な数量又は容量を設定する撮影制限条件設定手段９と、特定のモードで撮影した画像データや、記録対象となる記録媒体やデータの種類を特定する指示データを生成する指示データ生成手段１０と、撮影可能な数量又は容量と撮影済みの数量又は容量との比較結果に基づいて撮影を制限する制御手段４とを備える。これにより、特定のモードで撮影した全ての画像データなどを確実に１つの記録媒体に記録することができる。【選択図】図２
2006340127.tif 000002
【特許請求の範囲】
【請求項１】
少なくとも撮影して得られた全ての画像データを１つの記録媒体に記録できるように撮影数量又は撮影容量を制限する特定のモードを備えることを特徴とするデジタルカメラ。
【請求項２】
少なくとも撮影して得られた全ての画像データを１つの記録媒体に記録できるように撮影数量又は撮影容量を制限する特定のモードを備えるデジタルカメラであって、
前記特定のモードが選択された場合に、記録対象となる前記記録媒体の容量と記録対象となるデータの種類とに基づいて、撮影可能な数量又は容量を設定する手段と、
撮影可能な数量又は容量と撮影済みの数量又は容量との比較結果に基づいて、撮影を制限する手段と、を少なくとも備えることを特徴とするデジタルカメラ。
【請求項３】
更に、前記特定のモードで撮影して得られた画像データを特定する情報と、記録対象となる前記記録媒体の種類を特定する情報と、記録対象となる前記データの種類を特定する情報とが少なくとも記述された指示データを生成する手段を備えることを特徴とする請求項２記載のデジタルカメラ。
【請求項４】
前記特定のモードが選択された場合に、撮影可能な残りの数量又は容量を表示手段に表示させる手段を備えることを特徴とする請求項１乃至３のいずれか一に記載のデジタルカメラ。
【請求項５】
コンピュータを、
デジタルカメラ又はデジタルカメラ用記録媒体から読み取った指示データに基づいて、前記デジタルカメラに予め設けられた特定のモードで撮影して得られた画像データと、記録対象となる記録媒体の種類と、記録対象となるデータの種類とを特定する手段、
特定された種類の前記データを特定された種類の前記記録媒体に記録させる手段、として機能させることを特徴とする記録プログラム。
【請求項６】
コンピュータを、更に、
前記特定のモードで撮影して得られた画像データに基づいて、前記画像データを家電機器で再生するための特定の形式のデータ、又は、前記画像データのデータサイズを縮小した縮小画像データの少なくとも一方を生成する手段、として機能させることを特徴とする請求項５記載の記録プログラム。
【請求項７】
前記特定の形式のデータは、Ｖｉｄｅｏ−ＣＤ、ＤＶＤ−Ｖｉｄｅｏ、又はＨＤＴＶのいずれかの形式のデータであることを特徴とする請求項６記載の記録プログラム。
【請求項８】
前記特定のモードとは、少なくとも撮影して得られた全ての画像データを１つの記録媒体に記録できるように撮影数量又は撮影容量を制限するモードであることを特徴とする請求項５乃至７のいずれか一に記載の記録プログラム。
【発明の詳細な説明】
【技術分野】
【０００１】
本発明は、デジタルカメラ及びデジタルカメラで撮影して得られた画像データを記録媒体に記録する記録プログラムに関する。
【背景技術】
【０００２】
近年、デジタルカメラの低価格化、小型化、高性能化等によりデジタルカメラを利用するユーザが増加している。デジタルカメラでは、フィルムカメラのようにフィルムを消費することがないことから、様々なシーンで撮影が行われるようになってきている。そして、写真や動画を撮影したデジタルカメラやデジタルカメラ用メディアをミニラボ等の写真店やコンビニエンスストアなどに持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（無人端末に関しては、例えば、下記特許文献１参照）。
【０００３】
また、デジタルカメラやメディアから読み取った画像データを、ＤＶＤプレーヤやＤＶＤレコーダ、ゲーム機のような家電機器でスライドショーとして再生するためのＶｉｄｅｏ−ＣＤ形式やＤＶＤ−Ｖｉｄｅｏ形式のデータ（以下、家電機器で再生するためのスライドショー用のデータを家電機器用データと呼ぶ。）を生成し、元の画像データと生成した家電機器用データとをＣＤ−Ｒ、ＤＶＤ−Ｒなどの記録媒体に書き込むこともできる。
【０００４】
【特許文献１】特開平１１−８８１７号公報（第３−４頁、第１図）
【発明の開示】
【発明が解決しようとする課題】
【０００５】
ここで、従来はデジタルカメラに装填するメディアの容量がそれほど大きくなかったため、メディアに記憶された全ての画像データを１枚のＣＤ−Ｒ、ＤＶＤ−Ｒなどの記録媒体に書き込むことができたが、近年のデジタルカメラには大容量のメディアが装填される場合が多いため、メディアに記憶された全ての画像データを１枚のＣＤ−Ｒ、ＤＶＤ−Ｒなどの記録媒体に書き込むことができない場合が生じ、そのような場合には、画像データを複数の記録媒体に分割して書き込んだり、撮影した画像データの中から選択した画像データのみを記録媒体に書き込まなければならなかった。
【０００６】
しかしながら、複数の記録媒体に分割して書き込む方法では、一連の画像データを一度に閲覧することができないため不便であり、特に、一連の画像データをスライドショーとして閲覧する場合にはスライドショーの見栄えが悪くなってしまう。また、選択した画像データのみを記録媒体に書き込む方法では、画像データを選択する操作が必要であり、このような操作を無人端末や店頭端末などで行うのは煩雑である。更に、どの程度の画像データを除外すればよいかを考えながら操作しなければならならないため、選択操作に時間がかかってしまうという問題もあった。
【０００７】
本発明は、上記問題点に鑑みてなされたものであって、その主たる目的は、デジタルカメラで撮影して得られた全ての画像データを１つの記録媒体に記録できるように制御するデジタルカメラ及び記録プログラムを提供することにある。
【課題を解決するための手段】
【０００８】
上記目的を達成するため、本発明のデジタルカメラは、少なくとも撮影して得られた全ての画像データを１つの記録媒体に記録できるように撮影数量又は撮影容量を制限する特定のモードを備えるものである。
【０００９】
また、本発明のデジタルカメラは、少なくとも撮影して得られた全ての画像データを１つの記録媒体に記録できるように撮影数量又は撮影容量を制限する特定のモードを備えるデジタルカメラであって、前記特定のモードが選択された場合に、記録対象となる前記記録媒体の容量と記録対象となるデータの種類とに基づいて、撮影可能な数量又は容量を設定する手段と、撮影可能な数量又は容量と撮影済みの数量又は容量との比較結果に基づいて、撮影を制限する手段と、を少なくとも備えるものである。
【００１０】
本発明においては、更に、前記特定のモードで撮影して得られた画像データを特定する情報と、記録対象となる前記記録媒体の種類を特定する情報と、記録対象となる前記データの種類を特定する情報とが少なくとも記述された指示データを生成する手段を備える構成とすることができる。
【００１１】
また、本発明においては、前記特定のモードが選択された場合に、撮影可能な残りの数量又は容量を表示手段に表示させる手段を備える構成とすることもできる。
【００１２】
また、本発明の記録プログラムは、コンピュータを、デジタルカメラ又はデジタルカメラ用記録媒体から読み取った指示データに基づいて、前記デジタルカメラに予め設けられた特定のモードで撮影して得られた画像データと、記録対象となる記録媒体の種類と、記録対象となるデータの種類とを特定する手段、特定された種類の前記データを特定された種類の前記記録媒体に記録させる手段、として機能させるものである。
【００１３】
本発明においては、コンピュータを、更に、前記特定のモードで撮影して得られた画像データに基づいて、前記画像データを家電機器で再生するための特定の形式のデータ、又は、前記画像データのデータサイズを縮小した縮小画像データの少なくとも一方を生成する手段、として機能させる構成とすることもでき、前記特定の形式のデータは、Ｖｉｄｅｏ−ＣＤ、ＤＶＤ−Ｖｉｄｅｏ、又はＨＤＴＶのいずれかの形式のデータとすることができる。
【００１４】
また、本発明においては、前記特定のモードとは、少なくとも撮影して得られた全ての画像データを１つの記録媒体に記録できるように撮影数量又は撮影容量を制限するモードであることが好ましい。
【００１５】
このように、本発明のデジタルカメラには特定のモードが設けられており、特定のモードを選択した場合には、記録対象となる記録媒体の容量や記録対象となるデータの種類に基づいて撮影可能な数量又は容量が設定され、この数量又は容量に基づいて撮影が制限されるため、ユーザは撮影数量や撮影容量を気にすることなく写真撮影や動画撮影を行うことができる。
【００１６】
また、特定のモードを選択した場合にはデジタルカメラで指示データが作成されて記憶され、記録装置で動作する記録プログラムは、この指示データに基づいて、特定のモードで撮影された画像データや記録対象となる記録媒体の種類、記録対象となるデータの種類を特定し、特定された種類のデータを特定された種類の記録媒体に記録する制御を行うため、特別な操作をすることなく、少なくとも特定のモードで撮影された全ての画像データを記録媒体に書き込むことができる。
【発明の効果】
【００１７】
本発明のデジタルカメラ及び記録プログラムによれば、下記記載の効果を奏する。
【００１８】
本発明の第１の効果は、画像データなどを１つの記録媒体に記録する場合であっても、撮影数量や撮影容量を気にすることなく、写真撮影や動画撮影を行うことができるということである。
【００１９】
その理由は、デジタルカメラには、撮影して得られた全ての画像データや該画像データに基づいて生成される家電機器用データ、縮小画像データ、アプリケーションなどを１つの記録媒体に記録できるように撮影の数量や容量を制御する特定のモードが設けられており、特定のモードを選択した場合には、予め記憶されたテーブルを参照して、記録対象となる記録媒体の容量や記録対象となるデータの種類などに基づいて撮影可能な数量又は容量が設定され、この撮影可能な数量又は容量と撮影済みの数量又は容量との比較結果に基づいて撮影が制限されるからである。
【００２０】
また、本発明の第２の効果は、特別な操作をすることなく、特定のモードで撮影した全ての画像データや家電機器用データ、縮小画像データ、アプリケーションなどを１つの記録媒体に記録することができるということである。
【００２１】
その理由は、デジタルカメラでは、特定のモードを選択した場合には、特定のモードで撮影した画像データを特定する情報や、記録対象となる記録媒体を特定する情報、記録対象となるデータの種類を特定する情報などが記述された指示データが作成されて記憶され、記録装置で動作する記録プログラムでは、この指示データに基づいて、特定のモードで撮影された画像データや記録対象となる記録媒体の種類、記録対象となるデータの種類を特定し、特定された種類のデータを特定された種類の記録媒体に記録する制御を行うからである。
【発明を実施するための最良の形態】
【００２２】
本発明のデジタルカメラは、その好ましい一実施の形態において、通常のデジタルカメラに備える機能に加えて、予め設けられた特定のモードが選択された場合に、予め記憶されたテーブルを参照して、記録対象となる記録媒体の容量や記録対象となるデータの種類に基づいて撮影可能な数量又は容量を設定する撮影制限条件設定手段と、特定のモードで撮影した画像データを特定する情報や記録対象となる記録媒体の種類を特定する情報、記録対象となるデータの種類を特定する情報などが記述された指示データを生成する指示データ生成手段と、撮影可能な数量又は容量と、撮影済みの数量又は容量との比較結果に基づいて撮影を制限する制御手段とを備えるものであり、特定のモードを選択すると、特定のモードで撮影した全ての画像データや家電機器用データ、縮小画像データ、アプリケーションなどが１つの記録媒体に記録できるように撮影が制限されるため、ユーザは撮影数量や撮影容量を気にすることなく写真撮影や動画撮影を行うことができる。
【実施例１】
【００２３】
上記した本発明の実施の形態についてさらに詳細に説明すべく、本発明の第１の実施例に係るデジタルカメラについて、図１乃至図６を参照して説明する。図１は、本発明の第１の実施例に係るデジタルカメラの構成を模式的に示す図であり、図２は、デジタルカメラの主要な手段を示すブロック図である。また、図３は、本実施例のデジタルカメラを用いた処理の手順を示すフローチャート図であり、図４は、本実施例のデジタルカメラにおける画像データの記録構造を示す図である。また、図５は、撮影可能な数量や容量を設定する際に参照されるテーブルの構成例を示す図であり、図６は、表示手段に表示される画面構成例を示す図である。
【００２４】
図１及び図２に示すように、本実施例のデジタルカメラ１（デジタルスチルカメラ又はデジタルムービーカメラのいずれでもよい。）は、ＣＣＤ等の撮像素子、レンズ等の光学部材を備え、ＣＣＤの受光面に結像される被写体の光学像を画像信号に変換する撮像手段５と、画像信号に色分離処理、ゲイン調整、Ａ／Ｄ変換、コントラスト調整、ホワイトバランス調整、ガンマ補正等の処理を行って画像データに変換する信号処理手段６と、画像データの数量や容量を算出する際に参照されるテーブルなどを記憶する内蔵メモリなどの内部記憶手段８と、本体に着脱可能に取り付けられたスマートメディア、コンパクトフラッシュ（登録商標）、メモリースティック（登録商標）、ＳＤメモリーカード、マルチメディアカードなどの記録媒体（以下、メディア１８と呼ぶ。）と、液晶モニタなどの表示手段２と、撮影した全ての画像データや該画像データに基づいて生成される家電機器用データ、縮小画像データ、アプリケーションなどを１つの記録媒体に記録するための特定のモードの設定を行うジョグダイアル３ａなどの操作手段３と、特定のモードが選択された場合に、内部記憶手段８に記憶されたテーブルを参照して、上記特定のモードで撮影された全ての画像データや家電機器用データ、縮小画像データ、アプリケーションなどを１つの記録媒体に記録することができる画像データの数量（撮影可能数量）や容量（撮影可能容量）を設定する撮影制限条件設定手段９と、特定のモードが選択された場合に、該特定のモードで撮影した画像データを特定する情報や記録対象となる記録媒体の種類を特定する情報、記録対象となるデータの種類を特定する情報、記録媒体のタイトル名、作成年月日などが記述された指示データを生成する指示データ生成手段１０と、特定のモードで撮影した画像データや指示データをメディア１８に記録する記録制御手段７と、設定された撮影可能数量又は撮影可能容量と、撮影済み数量又は撮影済み容量とを比較し、その比較結果に基づいて撮影を制限する制御などを行う制御手段４とを備えている。
【００２５】
なお、本実施例では、写真を撮影する機器としてデジタルカメラ１を例にして説明するが、写真を撮影する機能を有する限り機器の形態は任意であり、例えば、撮像手段を備えたカメラ付き携帯電話機などを用いてもよい。
【００２６】
次に、上記構成のデジタルカメラ１を用いた処理の手順について、図３のフローチャート図を参照して説明する。
【００２７】
まず、ステップＳ１０１で、ユーザはデジタルカメラ１の電源を投入し、ステップＳ１０２で、ジョグダイアル３ａなどの操作手段３を操作して撮影のモードを選択する。そして、特定のモード以外のモードが選択された場合は、該モードに応じた処理を行い、特定のモードが選択された場合は、ステップＳ１０３で、操作手段３を操作して、例えば、どのような種類の記録媒体（例えば、ＣＤ−ＲやＤＶＤ−Ｒなど）に記録するのか、どのようなデータ（撮影して得られた画像データや該画像データに基づいて生成されたデータ（家電機器でスライドショーを表示させるための家電機器用データやサムネイル画像データやスクリーンネイル画像データなどの縮小画像データ）、アプリケーションなど）を記録するのかなどの記録条件の選択を行う。なお、この記録条件の選択は特定のモードを選択する度に行ってもよいし、デフォルト値を変更する場合のみ行ってもよいし、一旦設定した値がデフォルトとして登録されるようにしてもよい。
【００２８】
次に、ステップＳ１０４で、撮影制限条件設定手段９は、内部記憶手段８に予め記憶されたテーブルを参照して、選択された種類の１つの記録媒体に対して選択された種類のデータの全てを記録することができる撮影可能数量又は撮影可能容量を設定する。具体的に説明すると、内部記憶手段８には、図５に示すように、所定の種類の記録媒体に対して所定の種類のデータを記録する場合における撮影可能数量又は撮影可能容量が記述されたテーブルが記憶されており、例えば、ステップＳ１０３で記録対象となる記録媒体としてＣＤ−Ｒを選択し、記録対象となるデータとして画像データのみを選択した場合には、撮影可能な容量は７００ＭＢとなり、画像データ１枚当たりのサイズを標準の解像度で２ＭＢ、高精細で１０ＭＢとすると、撮影可能な数量は標準で３５０枚、高精細で７０枚となる。また、ステップＳ１０３で記録対象となる記録媒体としてＣＤ−Ｒを選択し、記録対象となるデータとして画像データ＋家電機器用データを選択した場合には、画像データから生成される家電機器用データの容量を考慮すると撮影可能な容量は３００ＭＢとなり、撮影可能な数量は標準で１５０枚、高精細で３０枚となる。
【００２９】
そして、ステップＳ１０５で、撮像手段５を用いて写真撮影や動画撮影を行う。その際、上記ステップＳ１０４で設定された撮影可能数量又は撮影可能容量に対して、どの程度の数量又は容量が残っているのかが分かると便利である。そこで、例えば、図６（ａ）に示すように、デジタルカメラ１の表示手段２の所定の位置に撮影可能な残りの数量や容量などを表示したり、図６（ｂ）に示すように、設定された撮影可能数量や撮影可能容量に対する撮影済み数量や撮影済み容量を表示することもできる。
【００３０】
次に、ステップＳ１０６で、記録制御手段７は撮影して得られた画像データをメディア１８に記録する。その際、特定のモードで撮影して得られた画像データと他のモードで撮影して得られた画像データとを同じフォルダに格納してもよいが、どの画像データが特定のモードで撮影して得られた画像データであるかを識別しやすくするために、予め定められたルールに従って所定のフォルダを作成し、そのフォルダ内に特定のモードで撮影して得られた画像データを格納するようにしてもよい。
【００３１】
次に、ステップＳ１０７で、制御手段４は、ステップＳ１０４で設定された撮影可能数量又は撮影可能容量と、撮影済み数量又は撮影済み容量とを比較して、次の撮影が可能であるかを判断する。そして、撮影済み数量又は撮影済み容量が設定された撮影可能数量又は撮影可能容量よりも小さければステップＳ１０５、Ｓ１０６の処理を繰り返し、撮影済み数量又は撮影済み容量が設定された撮影可能数量又は撮影可能容量以上であれば撮影を制限してステップＳ１０８の処理を行う。なお、撮影の制限方法としては、シャッターボタンを押しても撮影ができないようにしてもよいし、自動的に特定のモードを終了してもよいし、図６（ｃ）に示すように、これ以上の撮影ができないことを示すメッセージなどを表示手段２に表示してもよい。
【００３２】
次に、ステップＳ１０８で、必要に応じて、指示データ生成手段１０は、特定のモードで撮影して得られた画像データを特定する情報（ファイル名など）や、記録対象となる記録媒体の種類を特定する情報、記録対象となるデータの種類を特定する情報、記録対象となる記録媒体のタイトル名や作成年月日などが記述された指示データを生成する。なお、画像データが所定の名称のフォルダに格納されている場合は、該画像データを特定する情報の代わりにフォルダを特定する情報（フォルダ名など）を記述してもよい。また、この指示データの形式は任意であり、テキスト形式のファイルとしてもよいし、写真業界で推奨されている専用のファイル（ｐｖｍ形式のファイル）としてもよいし、メタデータとしてもよい。
【００３３】
そして、ステップＳ１０９で、記録制御手段７は、上記ステップで生成された指示データをメディア１８に記録して一連の処理を終了する。
【００３４】
上記手順で画像データが記録されたメディア１８のデータ構造は、例えば、図４（ａ）に示すようになり、予め定められたルールに従って作成されたフォルダ（100KONICなど）に、特定のモードで撮影された画像データ（DSC00001.jpg〜など）と指示データ（index.pvmなど）が記録されると共に、必要に応じて、他のフォルダ（101KONICなど）に、他のモードで撮影された画像データ（DSC00101.jpg〜など）が記録される。
【００３５】
このように、本実施例のデジタルカメラ１には、撮影した全ての画像データや該画像データに基づいて生成される家電機器用データ、縮小画像データ、アプリケーションなどを１つの記録媒体に記録するための特定のモードが設けられており、特定のモードを選択した場合には、予め記憶されたテーブルを参照して撮影可能数量や撮影可能容量が設定され、この撮影可能数量や撮影可能容量と撮影済み数量や撮影済み容量との比較結果に基づいて撮影が制限され、また、特定のモードで撮影した画像データを特定する情報や記録対象となる記録媒体やデータの種類を特定する情報などが記述された指示データが作成されるため、撮影した画像データなどを１つの記録媒体に記録する場合であっても、撮影数量や撮影容量を気にすることなく、写真撮影や動画撮影を行うことができる。
【実施例２】
【００３６】
次に、本発明の第２の実施例に係る記録プログラムについて、図７乃至図１７を参照して説明する。図７は、第２の実施例に係る記録装置の構成を模式的に示す図であり、図８乃至図１２は、そのバリエーションを示す図、図１３は、記録装置の手段を示すブロック図である。また、図１４は、記録装置を用いた処理の手順を示すフローチャート図であり、図１５及び図１６は、記録媒体におけるデータの記録構造を示す図である。また、図１７は、記録媒体（ＣＤ−Ｒ）の構造を模式的に示す図である。
【００３７】
なお、前記した第１の実施例では、デジタルカメラ１を用いた処理について記載したが、本実施例では、特定のモードで撮影された画像データなどを記録媒体に記録する記録装置の処理について説明する。
【００３８】
図７に示すように、本実施例の記録装置１１は、メディア１８を装填するメディア装填部１６や、デジタルカメラ１やカメラ付き携帯電話機１ａ等の撮影機器を有線又は無線、赤外線等によって接続するための機器接続部１５と、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１９を装填する記録媒体装填部１７と、ボタン、キーボード、マウス等の操作手段１３及びＬＣＤ、ＣＲＴ等の表示手段１２とを備えている。
【００３９】
また、記録装置１１に備える主な手段をブロック図で示すと図１３のようになり、メディア装填部１６や機器接続部１５などを用いて、デジタルカメラ１やメディア１８に記録された画像データや指示データを読み取るデータ読み取り手段２０と、指示データの記述を参照して、特定のモードで撮影して得られた画像データや記録対象となる記録媒体の種類、記録対象となるデータの種類などを特定する指示情報特定手段２１と、必要に応じて、特定のモードで撮影された画像データに基づいて、ＤＶＤプレーヤやＤＶＤレコーダ、ＨＤＤレコーダ、ゲーム機などの家電機器で利用可能な特定のファイル形式のデータ（家電機器用データ）や、サムネイル画像データやスクリーンネイル画像データなどの縮小画像データを生成するデータ生成手段２２と、記録媒体装填部１７に装填された記録媒体１９に特定のモードで撮影して得られた全ての画像データや家電機器用データ、縮小画像データ、アプリケーションなどを記録する制御を行う記録制御手段２３と、画像データの表示などを行う表示手段１２と、画像データの選択などを行う操作手段１３とを備えている。
【００４０】
なお、上記各手段は記録装置１１にハードウェアとして構成されていてもよいが、コンピュータを、少なくとも、指示情報特定手段２１及び記録制御手段２３として機能させる記録プログラムとして構成し、該記録プログラムを記録装置１１にインストールして実行する構成とすることができる。また、図７では記録装置１１としてパーソナルコンピュータなどのコンピュータ機器を示しているが、記録装置１１の形態は任意であり、例えば、図８に示すように写真店やコンビニエンスストアなどの店舗に設置される無人端末（キオスク）としたり、図９に示すように専用のセットトップボックスとしたり、図１０に示すようにポータブルライターとしたり、図１１に示すように演算処理機能を備えたＤＶＤレコーダ、ＨＤＤレコーダなどとしたり、図１２に示すようにハードディスクを備えた端末と画像データの読み取りや書き込みを行う本体とが分離可能な携帯機器としたり、演算処理機能を備えたカーナビゲーション機器などとすることもできる。
【００４１】
次に、上記構成の記録装置１１（記録プログラム）を用いて、特定のモードで撮影された全ての画像データなどを記録媒体１９に記録する手順について、図１４のフローチャート図を参照して説明する。
【００４２】
まず、ステップＳ２０１で、記録装置１１のメディア装填部１６にメディア１８を装填、又は、機器接続部１５にデジタルカメラ１やカメラ付き携帯電話機１ａを接続し、ステップＳ２０２で、データ読み取り手段２０を用いて、デジタルカメラ１やメディア１８に記録された画像データと指示データとを読み取る。
【００４３】
次に、ステップＳ２０３で、指示情報特定手段２１は、指示データに記述された情報を参照して、読み取った画像データの中から特定のモードで撮影された画像データを特定すると共に、記録対象となる記録媒体１９の種類や記録対象となるデータの種類を特定する。
【００４４】
そして、ステップＳ２０４で、特定されたデータの種類に基づいて、家電機器用データや縮小画像データが記録対象であるかを判断し、家電機器用データが記録対象である場合は、ステップＳ２０５で、データ生成手段２２を用いて、特定のモードで撮影して得られた画像データを用いて動画データ（例えば、ＭＰＥＧ１、２、４、７形式などの動画データ）を生成（エンコード）し、生成した動画データを、ＤＶＤプレーヤやＤＶＤレコーダ、ＨＤＤレコーダ、ゲーム機などの家電機器で再生可能なＶｉｄｅｏ−ＣＤ形式やＤＶＤ−Ｖｉｄｅｏ形式、ＨＤＴＶ形式に変換（オーサリング）して、家電機器でスライドショーを再生するための家電機器用データを生成する。また、縮小画像データが記録対象である場合は、特定のモードで撮影して得られた画像データの画素数や色数、サイズなどを減縮したサムネイル画像データやスクリーンネイル画像データなどの携帯機器１１での表示に適した縮小画像データを生成する。
【００４５】
なお、動画データを生成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。また、縮小画像データは入力した画像データよりもデータサイズが小さいものであればよく、例えば、画素数を減縮した画像データや色数、色再現域を減縮した画像データなどとすることができる。
【００４６】
次に、ステップＳ２０６で、記録装置１１の記録媒体装填部１７にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１９を装填すると、ステップＳ２０７で、指示情報特定手段２１は装填された記録媒体１９が指示データで特定される種類の記録媒体１９であるかを判断し、特定される種類の記録媒体１９でない場合は該記録媒体１９を排出して新たな記録媒体１９の装填を要求する。
【００４７】
なお、特定される種類の全ての記録媒体１９に対してデータの記録が行われるようにしてもよいし、その中の特定の記録媒体１９に対してのみデータの記録が行われるようにしてもよい。その場合は、記録媒体装填部１７に装填された記録媒体１９の所定の領域に、該記録媒体１９を識別するための識別情報が記録されているかに基づいて該記録媒体１９が特定の記録媒体であるかを識別することができる。
【００４８】
その際、上記識別情報は適正な記録媒体に対して画像データを記録するために設けるものであり、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００４９】
ここで、一般的な記録媒体１９の構造について、図１７を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００５０】
次に、指示データで特定された種類のデータを記録媒体１９に書き込む。その際、家電機器では所定の領域（ディスク型記録媒体の内側）に記録されたデータしか読み出すことができないため、ステップＳ２０８で、家電機器用データが記録対象となっている場合は家電機器用データを記録媒体１９の内側に書き込み、必要に応じてセッションをクローズした後、ステップＳ２０９で、画像データや縮小画像データが記録対象となっている場合は、画像データや縮小画像データなどを家電機器用データの外側に書き込む。
【００５１】
なお、この書き込み処理に際して、従来は記録媒体１９の容量を考慮せずにデジタルカメラ１で撮影を行っていたため、記録対象となるデータの全てを１つの記録媒体１９に記録することができない場合があったが、本発明では、デジタルカメラ１で撮影を行う際に、記録媒体１９の容量を考慮して撮影数量や撮影容量を制限しているため、記録対象となるデータは必ず１つの記録媒体１９に記録することができる。
【００５２】
上記手順で各種データが記録された記録媒体１９の記録構造は図１５又は図１６のようになる。例えば、画像データのみが記録対象となっている場合は、図１５（ａ）に示すように、特定のモードで撮影された全ての画像データや必要に応じて指示データが予め定められたルールに従って生成されたフォルダに格納される。なお、フォルダの名称は任意であり、デジタルカメラ１やメディア１８に生成されたフォルダと同じ名称としてもよいし、画像データの識別を容易にするために、図１５（ｂ）に示すように、例えば、画像データの格納場所を示すフォルダ（PS_Roll）の下位の階層に特定のモードに対応するフォルダを作成し、そのフォルダの名称をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などとしたり、画像データのファイル名をCCYYMMDDxxxxxx（CC：画像データの種別、YYMMDD：書き込み年月日を特定する数字、xxxxxx：シーケンシャル番号）などとすることもできる。
【００５３】
また、画像データに加えて、該画像データに基づいて生成した縮小画像データや家電機器用データ、アプリケーションなどが記録対象となっている場合は図１６に示すようになり、特定のモードに対応して生成されたフォルダに、特定のモードで撮影して得られた全ての画像データや該画像データに基づいて生成された縮小画像データが記録され、アプリケーションのフォルダに、スライドショープログラムなどのアプリケーションや該アプリケーションの設定ファイルが記録され、更に、アプリケーションを自動的に起動させるためのファイル、指示データなど（これらを総称してコンピュータ機器用データと呼ぶ。）が記録される。
【００５４】
また、家電機器用データとしてＶｉｄｅｏ−ＣＤ形式のデータを生成した場合は図１６（ａ）に示すように、上記コンピュータ機器用データに加えて、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどが記録され、ＤＶＤ−Ｖｉｄｅｏ形式のデータを生成した場合は図１６（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などが記録される。
【００５５】
このように、本実施例の記録プログラムでは、デジタルカメラ１やメディア１８から画像データと指示データとを読み取り、指示データの記述を参照して、特定のモードで撮影された画像データや記録対象となる記録媒体１９の種類、記録対象となるデータの種類を特定し、特定された種類のデータを特定された種類の記録媒体１９に記録する制御が行われるため、特別な操作をすることなく、簡単かつ確実に特定のモードで撮影された画像データなどを１つの記録媒体１９に書き込むことができる。
【００５６】
なお、上記各実施例では、画像データを記録媒体１９に記録する場合について記載したが、本発明は上記実施例に限定されるものではなく、音楽データなどの他の種類のデータを記録媒体１９に記録する場合などについても同様に適用することができる。
【図面の簡単な説明】
【００５７】
【図１】本発明の第１の実施例に係るデジタルカメラの構成を模式的に示す図である。
【図２】本発明の第１の実施例に係るデジタルカメラの主要な手段を示すブロック図である。
【図３】本発明の第１の実施例に係るデジタルカメラを用いた処理の手順を示すフローチャート図である。
【図４】本発明の第１の実施例に係るデジタルカメラ又はメディアに記憶される画像データのフォルダ構造を示す図である。
【図５】本発明の第１の実施例に係るデジタルカメラに記憶されるテーブルの構成例を示す図である。
【図６】本発明の第１の実施例に係るデジタルカメラの表示手段に表示される画面構成例を示す図である。
【図７】本発明の第２の実施例に係る記録装置の構成を模式的に示す図である。
【図８】本発明の第２の実施例に係る記録装置のバリエーションを示す図である。
【図９】本発明の第２の実施例に係る記録装置のバリエーションを示す図である。
【図１０】本発明の第２の実施例に係る記録装置のバリエーションを示す図である。
【図１１】本発明の第２の実施例に係る記録装置のバリエーションを示す図である。
【図１２】本発明の第２の実施例に係る記録装置のバリエーションを示す図である。
【図１３】本発明の第２の実施例に係る記録装置の主要な手段を示すブロック図である。
【図１４】本発明の第２の実施例に係る記録装置を用いた処理の手順を示すフローチャート図である。
【図１５】本発明の第２の実施例に係る記録媒体におけるデータ（画像データのみ）の記録構造を示す図である。
【図１６】本発明の第２の実施例に係る記録媒体におけるデータの記録構造を示す図である。
【図１７】記録媒体（ＣＤ−Ｒ）の構造を模式的に示す図である。
【符号の説明】
【００５８】
１  デジタルカメラ
１ａ  カメラ付き携帯電話機
２  表示手段
３  操作手段
３ａ  ジョグダイアル
４  制御手段
５  撮像手段
６  信号処理手段
７  記録制御手段
８  内部記憶手段
９  撮影制限条件設定手段
１０  指示データ生成手段
１１  記録装置
１２  表示手段
１３  操作手段
１５  機器接続部
１６  メディア装填部
１７  記録媒体装填部
１８  メディア
１９  記録媒体
２０  データ読み取り手段
２１  指示情報特定手段
２２  データ生成手段
２３  記録制御手段
１００  ポリカーボネート基板
１０１  有機色素層
１０２  反射層
１０３  保護層
【図１】
2006340127.tif 000003
【図２】
2006340127.tif 000004
【図３】
2006340127.tif 000005
【図４】
2006340127.tif 000006
【図５】
2006340127.tif 000007
【図６】
2006340127.tif 000008
【図７】
2006340127.tif 000009
【図８】
2006340127.tif 000010
【図９】
2006340127.tif 000011
【図１０】
2006340127.tif 000012
【図１１】
2006340127.tif 000013
【図１２】
2006340127.tif 000014
【図１３】
2006340127.tif 000015
【図１４】
2006340127.tif 000016
【図１５】
2006340127.tif 000017
【図１６】
2006340127.tif 000018
【図１７】
2006340127.tif 000019